(57)【要約】【課題】建物の天井部分にセンサやカメラ等の機器を設置する場合において、その機器を好適に設置することができる建物の機器設置構造を提供する。【解決手段】建物の部屋において、照明機器１３が設けられた天井部１２には、機器１６，１７を取り付けるための機器取付用ユニット４０が設けられている。機器取付用ユニット４０は、建物ユニットにおける一対の天井小梁２５の上に架け渡された状態で固定される固定板部４１と、機器１６，１７を内部に収容した状態で取り付ける筐体部４２と、固定板部４１に対してそれよりも下方に延びるように設けられるとともに、筐体部４２を天井面材２７に開口された開口部２７ａを通じて高さ位置調整可能に支持する支持レール４３とを備える。【選択図】      図２
2020133101.tif 000002
【特許請求の範囲】
【請求項１】
建物において照明部が設けられた天井部に機器を設置するための機器設置構造であって、
前記天井部において天井面材の上方に設けられた横架材に固定された固定部と、
前記機器が取り付けられる機器取付部と、
前記固定部に対してそれよりも下方に延びるように設けられるとともに、前記機器取付部を前記天井面材に開口された開口部を通じて高さ位置調整可能に支持する支持部と、
を備えることを特徴とする建物の機器設置構造。
【請求項２】
前記固定部は、互いに平行に延びる一対の前記横架材の上に架け渡されて設けられ、それら各横架材にそれぞれ固定されていることを特徴とする請求項１に記載の建物の機器設置構造。
【請求項３】
前記建物は、複数の建物ユニットが互いに組み合わされてなるユニット式建物であり、
前記建物ユニットの前記天井部には、前記天井面材をその上方から支持する複数の天井小梁が所定間隔で設けられており、
前記固定部は、前記一対の横架材としての隣り合う前記各天井小梁の上に架け渡された状態で固定されていることを特徴とする請求項２に記載の建物の機器設置構造。
【請求項４】
前記機器取付部は、底板部とその底板部の周縁部に設けられた複数の側板部とを有し、前記機器が内部に収容された状態で取り付けられる筐体部であり、
前記筐体部の前記底板部には、前記機器を天井下に向けて露出させる窓部が設けられており、
前記支持部は、前記底板部が前記照明部よりも低い位置となるように前記筐体部を高さ位置調整することが可能とされていることを特徴とする請求項１乃至３のいずれか一項に記載の建物の機器設置構造。
【請求項５】
前記機器取付部が複数設けられているとともに、前記各機器取付部ごとに前記支持部が設けられ、
前記各支持部は、共通の前記固定部に設けられていることを特徴とする請求項１乃至４のいずれか一項に記載の建物の機器設置構造。
【請求項６】
光を発する光源部と、
その光源部で発せられた光を伝達する光伝達部と、
その光伝達部により伝達された光を放射する光放射部とを有し、
前記光放射部は、前記天井部に設けられた前記照明部となっていることを特徴とする請求項１乃至５のいずれか一項に記載の建物の機器設置構造。
【請求項７】
前記機器取付部は、前記機器としてのセンサ及びカメラのうち少なくともいずれかを取り付けるものであることを特徴とする請求項１乃至６のいずれか一項に記載の建物の機器設置構造。
【発明の詳細な説明】
【技術分野】
【０００１】
本発明は、建物の天井部に機器を設置するための機器設置構造に関する。
【背景技術】
【０００２】
住宅等の建物においては、その天井部にセンサやカメラ等の機器類が設置される場合がある。例えば、近年では、天井部に設置されたセンサやカメラ等を用いて建物内を監視し、その監視した建物内の状況等に基づいて、建物内に設けられた空調機器等の制御を行う試みも一部でなされている。
【０００３】
また、特許文献１には、建物の天井部分にこうした機器を取り付けるための機器取付用ユニットが開示されている。
【先行技術文献】
【特許文献】
【０００４】
【特許文献１】特表２００５−５１３７４５号公報
【発明の概要】
【発明が解決しようとする課題】
【０００５】
ところで、建物の天井部分には、通常、照明機器が設けられている。そのため、建物の天井部分にセンサやカメラ等の機器を設置する場合、その機器を照明機器に隣接して設置しなければならない場合が生じうる。
【０００６】
しかしながら、センサやカメラ等の機器を照明機器に隣接して設置する場合、その機器が照明機器からの光や熱による影響を受けてしまうおそれがある。例えば、天井部分にカメラを設置する場合には、照明から発する光がカメラに映り込んでしまうことが想定される。また、天井部分にセンサを設置する場合には、照明が発する熱の影響でセンサが誤検知を起こしてしまうおそれがある。
【０００７】
そこで、建物の天井部分にセンサやカメラ等の機器を設置する場合には、その機器を照明から離れた位置に設置することが考えられる。ただ、その場合、センサやカメラ等の機器の設置位置に大きな制約が生じてしまい、例えば天井部において建物内の監視に適さない隅部にしか機器を設置できないといった問題が生じうる。
【０００８】
本発明は、上記事情に鑑みてなされたものであり、建物の天井部分にセンサやカメラ等の機器を設置する場合において、その機器を好適に設置することができる建物の機器設置構造を提供することを主たる目的とするものである。
【課題を解決するための手段】
【０００９】
上記課題を解決すべく、第１の発明の建物の機器設置構造は、建物において照明部が設けられた天井部に機器を設置するための機器設置構造であって、前記天井部において天井面材の上方に設けられた横架材に固定された固定部と、前記機器が取り付けられる機器取付部と、前記固定部に対してそれよりも下方に延びるように設けられるとともに、前記機器取付部を前記天井面材に開口された開口部を通じて高さ位置調整可能に支持する支持部と、を備えることを特徴とする。
【００１０】
本発明によれば、建物の天井部において天井面材の上方に設けられた横架材に固定部が固定されている。また、カメラやセンサ等の機器が取り付けられる機器取付部が、固定部よりも下方に延びる支持部によって高さ位置調整可能に支持されている。この場合、その高さ位置調整により機器の高さ位置を調整することができるため、機器の高さ位置を照明部からの光や熱の影響の少ない位置に設定することができる。これにより、天井部に機器を照明部に隣接して配置することが可能となるため、機器の設置位置が照明部により制約されてしまうのを抑制することができる。よって、この場合、建物の天井部に機器を設置する場合において、その機器を好適に設置することが可能となる。
【００１１】
第２の発明の建物の機器設置構造は、第１の発明において、前記固定部は、互いに平行に延びる一対の前記横架材の上に架け渡されて設けられ、それら各横架材にそれぞれ固定されていることを特徴とする。
【００１２】
本発明によれば、固定部が一対の横架材の上に架け渡された状態でそれら各横架材に固定されているため、その固定部に支持部を介して支持された機器取付部を安定した状態で支持することができる。これにより、天井部において機器を安定した状態で設置することができる。
【００１３】
第３の発明の建物の機器設置構造は、第２の発明において、前記建物は、複数の建物ユニットが互いに組み合わされてなるユニット式建物であり、前記建物ユニットの前記天井部には、前記天井面材をその上方から支持する複数の天井小梁が所定間隔で設けられており、前記固定部は、前記一対の横架材としての隣り合う前記各天井小梁の上に架け渡された状態で固定されていることを特徴とする。
【００１４】
ユニット式建物では、その天井部に天井面材を支持する複数の天井小梁が設けられている。そこで、本発明では、その天井小梁に着目し、隣り合う天井小梁の上に固定部を架け渡した状態で固定している。この場合、既存の構成を生かして固定部を架け渡し固定することができる。
【００１５】
第４の発明の建物の機器設置構造は、第１乃至第３のいずれかの発明において、前記機器取付部は、底板部とその底板部の周縁部に設けられた複数の側板部とを有し、前記機器が内部に収容された状態で取り付けられる筐体部であり、前記筐体部の前記底板部には、前記機器を天井下に向けて露出させる窓部が設けられており、前記支持部は、前記底板部が前記照明部よりも低い位置となるように前記筐体部を高さ位置調整することが可能とされていることを特徴とする。
【００１６】
本発明によれば、機器が筐体部の内部に収容された状態で取り付けられ、その取付状態において機器の一部が筐体部の底板部に設けられた窓部より天井下に向けて露出されるようになっている。この場合、例えば、機器がセンサである場合には、センサはその検知部を窓部より天井下に向けて露出させた状態で筐体部に取り付けられる。また、機器がカメラである場合には、カメラはそのレンズ部を窓部より天井下に向けて露出させた状態で筐体部に取り付けられる。
【００１７】
また、筐体部は、その底板部が照明部よりも低い位置となるよう、支持部により高さ位置調整されるようになっている。この場合、機器において窓部より露出される露出部分（センサの検知部やカメラのレンズ部等）を照明部よりも低い位置に設定することができるため、照明部からの光や熱による影響を好適に抑制することが可能となる。また、この場合、筐体部の底板部や側板部により照明部からの光を遮ることもできるため、機器の上記露出部分に照明部からの光や熱を及びにくくすることができ、その点でも、照明部からの光や熱の影響を好適に抑制することができる。
【００１８】
第５の発明の建物の機器設置構造は、第１乃至第４のいずれかの発明において、前記機器取付部が複数設けられているとともに、前記各機器取付部ごとに前記支持部が設けられ、前記各支持部は、共通の前記固定部に設けられていることを特徴とする。
【００１９】
本発明によれば、機器を取り付けるための機器取付部が複数設けられているため、天井部において複数の機器を集約して設置することができる。また、機器取付部ごとに支持部が設けられているため、各機器の高さ位置を機器ごとに調整することができる。これにより、各機器に応じて、機器の高さ位置を照明部からの光や熱の影響の少ない適切な位置に設定することができる。
【００２０】
さらに、各支持部は共通の固定部に設けられているため、各支持部と各機器取付部と固定部とを製造工場等で予めユニット化しておけば、そのユニット化した機器取付用ユニットを天井部に設置するに際し、一の固定部を横架材に固定するだけで同ユニットを天井部に設置することが可能となる。これにより、機器取付用ユニットの天井部への設置作業を容易に行うことが可能となる。
【００２１】
第６の発明の建物の機器設置構造は、第１乃至第５のいずれかの発明において、光を発する光源部と、その光源部で発せられた光を伝達する光伝達部と、その光伝達部により伝達された光を放射する光放射部とを有し、前記光放射部は、前記天井部に設けられた前記照明部となっていることを特徴とする。
【００２２】
本発明によれば、光源部で発せられた光が光伝達部を介して光放射部に伝達され、その伝達された光が天井部に設けられた光放射部（照明部）より放射される。この場合、熱を発する光源部を天井部とは異なる場所に配置することができるとともに、照明部より発する熱を大いに抑制することができるか又はなくすことができる。これにより、機器に対する照明部による熱の影響を大いに抑制することができる。
【００２３】
第７の発明の建物の機器設置構造は、第１乃至第６のいずれかの発明において、前記機器取付部は、前記機器としてのセンサ及びカメラのうち少なくともいずれかを取り付けるものであることを特徴とする。
【００２４】
本発明によれば、機器取付部に、機器としてカメラ又はセンサが取り付けられるようになっている。機器取付部にカメラが取り付けられる場合、カメラの高さ位置を照明部からの光の映り込みが抑制される高さ位置に設定することができる。これにより、カメラに対する照明部からの光の影響を抑制することができる。また、機器取付部にセンサが取り付けられる場合、センサの高さ位置を照明部からの熱の検知が抑制される位置に設定することができる。これにより、センサに対する照明部からの熱の影響を抑制することができる。
【００２５】
なお、センサとしては、建物内の温度や湿度等を検知する温度センサ（湿度センサ）や、建物内の人の有無を検知する人感センサ等が挙げられる。また、カメラとしては、建物内における人を監視する監視用カメラ等が挙げられる。これらセンサやカメラはいずれも建物内の情報を取得するための情報取得機器に相当する。
【図面の簡単な説明】
【００２６】
【図１】部屋の天井部に機器が設けられた構成を示す斜視図。
【図２】部屋の天井部に機器取付用ユニットが設けられた構成を示す斜視図。
【図３】部屋の天井部に機器取付用ユニットが設けられた構成を示す断面図。
【図４】建物ユニットを示す斜視図。
【図５】他の実施形態における部屋の天井部に機器取付用ユニットが設けられた構成を示す断面図。
【図６】他の実施形態における建物ユニットの天井部に機器取付用ユニットと照明ユニットとが並設された状態を示す平面図。
【発明を実施するための形態】
【００２７】
以下に、本発明を具体化した一実施の形態について図面を参照しつつ説明する。本実施形態では、建物が、直方体状をなす複数の建物ユニットが互いに組み合わされて構成されるユニット式建物となっており、そのユニット式建物に本発明の機器設置構造を適用している。以下においては、その機器設置構造の説明を行う前に、まずユニット式建物を構成する建物ユニットについて簡単に説明する。図４は、その建物ユニットを示す斜視図である。
【００２８】
図４に示すように、建物ユニット２０は、その四隅に配設される４本の柱２１と、各柱２１の上端部及び下端部をそれぞれ連結する各４本の天井大梁２２及び床大梁２３とを備えている。そして、それら柱２１、天井大梁２２及び床大梁２３により直方体状の骨格（フレーム）が形成されている。柱２１は四角筒状の角形鋼よりなる。天井大梁２２及び床大梁２３は断面コ字状の溝形鋼よりなり、その開口部が向き合うようにして設置されている。
【００２９】
建物ユニット２０の長辺部の相対する天井大梁２２の間には、所定間隔で複数の天井小梁２５が架け渡されている。同じく建物ユニット２０の長辺部の相対する床大梁２３の間には、所定間隔で複数の床小梁２６が架け渡されている。天井小梁２５と床小梁２６とはそれぞれ同間隔でかつ各々上下に対応する位置に設けられている。例えば、天井小梁２５はリップ溝形鋼よりなり、床小梁２６は角形鋼よりなる。天井小梁２５によって天井面材２７が上方から支持され、床小梁２６によって床面材２８が下方から支持されている。
【００３０】
次に、建物１０の天井部１２に設けられた機器設置構造について説明する。図１は部屋１１の天井部１２に機器１６〜１９が設けられた構成を示す斜視図である。
【００３１】
図１に示すように、住宅等の建物１０において、部屋１１の天井部１２には、部屋１１を照らす照明部としての照明機器１３が設けられている。照明機器１３は、天井部１２において複数箇所（具体的には２箇所）に設けられ、天井部１２の天井面材２７に埋め込まれた状態で取り付けられている（図２や図３参照）。照明機器１３は、例えば長尺の蛍光灯とされている。なお、照明機器１３は、白熱球やＬＥＤ照明等であってもよい。また、部屋１１は、住人が集まるリビングやダイニング等の居室とされている。
【００３２】
部屋１１の天井部１２には、複数（具体的には４つ）の機器１６〜１９が設けられている。これらの機器１６〜１９には、センサやカメラ（モニタ）、スピーカ等が含まれている。本実施形態では、これら各機器１６〜１９のうち、機器１６が部屋１１内の温度や湿度等を検知するセンサ１６（温度センサ）となっており、機器１７が部屋１１内の人を監視するカメラ１７（監視カメラ）となっている。なお、センサ１６とカメラ１７とは、部屋１１内の情報を取得するための情報取得機器に相当する。また、これら各機器１６〜１９はいずれも、照明機器１３の付近に設けられ、換言すると照明機器１３に隣接する位置に配置されている。
【００３３】
なお、本建物１０には、カメラ１７による監視結果や、センサ１６による検知結果に基づき、照明機器１３や空調機器等の設備機器を制御する制御システムが設けられている。この制御システムでは、例えば、カメラ１７による監視結果に基づき（換言すると部屋１１内の人の有無に基づき）、照明機器１３がＯＮ・ＯＦＦされたり照明機器１３の照度が変更されたりする制御等が行われる。
【００３４】
ここで、本建物１０には、部屋１１の天井部１２に、機器１６〜１９を取り付けるための機器取付用ユニット４０が設けられている。以下、この機器取付用ユニット４０に関する構成について図１に加え図２及び図３に基づき説明する。なお、図２は部屋１１の天井部１２に機器取付用ユニット４０が設けられた構成を示す斜視図であり、図３は同構成を示す断面図である。
【００３５】
図１〜図３に示すように、機器取付用ユニット４０は、部屋１１の天井部１２における略中央部に配置されている。機器取付用ユニット４０は、照明機器１３に隣接して配置され、詳しくは各照明機器１３の間に配置されている。
【００３６】
部屋１１の天井部１２には、建物ユニット２０の各天井小梁２５の下面に野縁２９が取り付けられている。各野縁２９は天井小梁２５に沿って設けられ、それら各野縁２９の下面には天井面材２７がビス等で固定されている。天井面材２７は、石膏ボードにより構成され、その一部に矩形形状の開口部２７ａが形成されている。
【００３７】
機器取付用ユニット４０は、隣り合う一対の天井小梁２５の上に架け渡された状態で設けられそれら各天井小梁２５に固定された固定板部４１と、各機器１６〜１９を取り付けるための複数（具体的には４つ）の筐体部４２と、各筐体部４２を支持する複数の支持レール４３とを備える。固定板部４１は、金属製の矩形平板からなる。固定板部４１は、隣り合う各天井小梁２５に架け渡された状態で各天井小梁２５にボルト等の締結具により固定されている。なお、固定板部４１は、溶接により天井小梁２５に固定されていてもよい。また、固定板部４１が固定部に相当し、その固定板部４１が固定された一対の天井小梁２５がそれぞれ横架材に相当する。
【００３８】
筐体部４２は、直方体の箱状により形成され、樹脂製とされている。詳しくは、筐体部４２は、底板部４２ａと、その底板部４２ａの周縁部から上方に延びる複数の側板部４２ｂと、それら各側板部４２ｂを挟んで底板部４２ａと上下に対向する天板部４２ｃとを有する。各筐体部４２の内部にはそれぞれ機器１６〜１９が収容された状態で取り付けられている。つまり、筐体部４２は各機器１６〜１９ごとに設けられ、それら各筐体部４２の内部にそれぞれ一の機器１６〜１９が取り付けられている。なお、各筐体部４２がそれぞれ機器取付部に相当する。また、筐体部４２は、必ずしも樹脂製である必要はなく、例えば金属製であってもよい。
【００３９】
筐体部４２の底板部４２ａには、機器１６〜１９の一部を天井下に向けて露出させる窓部４５が設けられている。窓部４５は、底板部４２ａの中央部においてその底板部４２ａを貫通する円形状の開口部として形成されている。各機器１６〜１９のうち、センサ１６については、その検知部１６ａを窓部４５より天井下に向けて露出させた状態で筐体部４２に取り付けられている。また、カメラ１７については、そのレンズ部１７ａを窓部４５より天井下に向けて露出させた状態で筐体部４２に取り付けられている。なお、検知部１６ａ及びレンズ部１７ａは窓部４５を通じて底板部４２ａよりも若干下方に突出した状態で配置されている。
【００４０】
筐体部４２内には、機器１６〜１９を着脱可能に取り付けることが可能となっている。筐体部４２には、各機器１６〜１９を着脱可能に取り付けるための取付部が設けられている。かかる取付部としては、例えば機器を挟むことで固定する挟持部や、機器を筐体部４２に固定するボルト等の締結具を挿通させる挿通孔部等が設けられている。
【００４１】
なお、図示は省略するが、筐体部４２には、例えば側板部４２ｂ又は底板部４２ａに開閉可能な開閉部が設けられ、その開閉部を開くことで筐体部４２の内部に機器１６〜１９を取り付けたり取り外したりすることが可能となっている。また、側板部４２ｂ又は底板部４２ａ自体を開閉部としてもよい。
【００４２】
筐体部４２の天板部４２ｃには排熱ファン４６が取り付けられている。この排熱ファン４６により筐体部４２内において機器１６〜１９から発生した熱を筐体部４２の上方へ、つまり天井裏へ向けて排出することが可能となっている。
【００４３】
筐体部４２には、機器１６〜１９の制御に関する制御プログラムを内蔵したカートリッジ（例えばメモリカード）を挿入するカートリッジ挿入口４８が設けられている。カートリッジ挿入口４８には、カートリッジを出し入れ可能に挿入することが可能となっている。これにより、筐体部４２内の機器１６〜１９を交換する際には、それに応じてカートリッジについても交換することが可能となっている。
【００４４】
各筐体部４２は、平面視において、２×２列で並ぶように配置されている。各筐体部４２はそれぞれ上下に延びる一対の支持レール４３により支持されている。一対の支持レール４３は、筐体部４２を挟んだ両側に設けられ、その上端部が固定板部４１の下面に固定され、その下端側が天井面材２７の開口部２７ａを通じて天井面材２７よりも下方へ延びている。また、各支持レール４３は金属製のレールとされ、固定板部４１に溶接により固定されている。
【００４５】
各筐体部４２はそれぞれ、その両側に設けられた一対の支持レール４３によりそれら支持レール４３に沿って上下移動可能に支持されている。これにより、各筐体部４２はそれぞれ、その高さ位置を調整することが可能となっている。この場合、各筐体部４２は天井面材２７の開口部２７ａを通じて高さ位置調整されるようになっている。具体的には、各筐体部４２は、筐体部４２（詳しくは底板部４２ａ）の下面が天井面材２７の下面（部屋１１の天井面）と同じ高さとなる基準高さ位置から、その基準高さ位置よりも低い位置であって底板部４２ａが照明機器１３よりも低い位置となる下位置までの高さ範囲において、少なくとも高さ位置調整が可能とされている。より詳しくは、各筐体部４２の下位置には、筐体部４２全体が天井面材２７（天井面）よりも下方となる位置が含まれている。なお、各支持レール４３が支持部に相当する。
【００４６】
続いて、各筐体部４２の高さ位置調整による作用について図３を参照しながら説明する。
【００４７】
図３では、各筐体部４２のうち、センサ１６が取り付けられた筐体部４２の高さ位置が下位置に設定されている。この場合、センサ１６の高さ位置、詳しくはセンサ１６の検知部１６ａの高さ位置が照明機器１３で発生する熱の検知（感知）が抑制される位置に設定されている。
【００４８】
また、カメラ１７が取り付けられた筐体部４２の高さ位置についても下位置に設定されている。詳しくは、当該筐体部４２の高さ位置は、センサ１６が取り付けられた筐体部４２の高さ位置よりも低い位置に設定されている。この場合、カメラ１７の高さ位置、詳しくはそのレンズ部１７ａの高さ位置が照明機器１３から照射される光が映り込まない位置に設定されている。
【００４９】
以上より、部屋１１の天井部１２にセンサ１６及びカメラ１７が照明機器１３と隣接して設置される構成にあって、それらセンサ１６及びカメラ１７に対する照明機器１３からの光や熱の影響を抑制することができる。また、他の機器１８，１９についても同様に、筐体部４２の高さ位置調整を行うことで、機器１８，１９に対する照明機器１３からの光や熱の影響を抑制することができる。
【００５０】
なお、各筐体部４２の中に機器が取り付けられていない未使用の筐体部４２がある場合には、その筐体部４２の高さ位置を基準高さ位置に設定しておけばよい。
【００５１】
以上、詳述した本実施形態の構成によれば、以下の優れた効果が得られる。
【００５２】
部屋１１の天井部１２に、機器１６〜１９を取り付けるための機器取付用ユニット４０が設けられている。この機器取付用ユニット４０では、その固定板部４１が天井面材２７の上方に設けられた天井小梁２５に固定されている。また、機器１６〜１９が取り付けられる筐体部４２が、固定板部４１よりも下方に延びる支持レール４３によって高さ位置調整可能に支持されている。この場合、その高さ位置調整により機器１６〜１９の高さ位置を調整することができるため、機器１６〜１９の高さ位置を照明機器１３からの光や熱の影響の少ない位置に設定することができる。これにより、天井部１２に機器１６〜１９を照明機器１３に隣接して配置することが可能となるため、機器１６〜１９の設置位置が照明機器１３により制約されてしまうのを抑制することができる。よって、この場合、建物１０の天井部１２に機器１６〜１９を設置する場合において、その機器１６〜１９を好適に設置することが可能となる。
【００５３】
固定板部４１が一対の天井小梁２５の上に架け渡された状態でそれら各天井小梁２５に固定されているため、その固定板部４１に支持レール４３を介して支持された筐体部４２を安定した状態で支持することができる。これにより、天井部１２において機器１６〜１９を安定した状態で設置することができる。また、天井小梁２５は天井面材２７を支持するために、建物ユニット２０にもともと設けられているものであるため、既存の構成を生かしながら上記の効果を得ることができる。
【００５４】
機器１６〜１９が筐体部４２の内部に収容された状態で取り付けられ、その取付状態において機器１６〜１９の一部が筐体部４２の底板部４２ａに設けられた窓部４５より天井下に向けて露出されるようになっている。また、筐体部４２は、その底板部４２ａが照明機器１３よりも低い位置となるよう、支持レール４３により高さ位置調整されるようになっている。この場合、機器１６〜１９において窓部４５より露出される露出部分（センサ１６の検知部１６ａやカメラ１７のレンズ部１７ａ等）を照明機器１３よりも低い位置に設定することで、照明機器１３からの光や熱による影響を好適に抑制することが可能となる。
【００５５】
ここで、例えば、筐体部４２の高さ位置を、筐体部４２全体が天井面材２７よりも上方（つまり天井裏）に位置する高さ位置に設定することで、照明機器１３からの光や熱による影響を抑制することも考えられるが、その場合、センサ１６による検知範囲やカメラ１７による監視範囲が狭められるおそれがある。その点、底板部４２ａが照明機器１３よりも低い位置となるよう筐体部４２の高さ位置を調整する上記の構成とすれば、センサ１６による検知範囲等が狭められるのを回避しながら、照明機器１３からの光や熱による影響を抑制することが可能となる。
【００５６】
また、機器１６〜１９が筐体部４２の内部に収容される構成では、その底板部４２ａや側板部４２ｂにより照明機器１３からの光を遮ることもできるため、機器１６〜１９の上記露出部分（センサ１６の検知部１６ａやカメラ１７のレンズ部１７ａ等）に照明機器１３からの光や熱を及びにくくすることができる。そのため、その点でも、照明機器１３からの光や熱の影響を好適に抑制することが可能となる。
【００５７】
さらに、底板部４２ａが照明機器１３よりも低い位置となるよう筐体部４２の高さ位置が調整された際に、機器１６〜１９が側方から見えてしまうのを防止する効果もある。
【００５８】
機器１６〜１９を取り付けるための筐体部４２が複数設けられているため、天井部１２において複数の機器１６〜１９を集約して設置することができる。これにより、各機器１６〜１９が異なる場所にばらばらに設置される場合と比べて、天井部１２の意匠性が損なわれるのを抑制することができる。
【００５９】
また、筐体部４２ごとに支持レール４３が設けられているため、各機器１６〜１９の高さ位置を機器１６〜１９ごとに調整することができる。これにより、各機器１６〜１９に応じて、機器１６〜１９の高さ位置を照明機器１３からの光や熱の影響の少ない適切な位置に設定することができる。
【００６０】
さらに、各筐体部４２を支持する支持レール４３は共通の固定板部４１に設けられているため、機器取付用ユニット４０を天井部１２に設置するに際し、一の固定板部４１を天井小梁２５に固定するだけで同ユニット４０を天井部１２に設置することが可能となる。これにより、機器取付用ユニット４０の天井部１２への設置作業を容易に行うことが可能となる。
【００６１】
なお、機器取付用ユニット４０は、製造工場において建物ユニット２０が製造される際に、建物ユニット２０の天井部１２に設置されるのが望ましい。そうすれば、施工現場において機器取付用ユニット４０の設置作業を行う必要がないため、機器取付用ユニット４０が設けられた構成にあって、現場での工数増大を回避することができる。
【００６２】
本発明は上記実施形態に限らず、例えば次のように実施されてもよい。
【００６３】
（１）例えば部屋１１の天井部１２における照明に関する構成を図５に示すような構成としてもよい。以下、かかる構成について説明する。図５の例では、建物１０に、部屋１１の照明に関する構成として、部屋１１を照らすための光を発する光源部５１（電球等）と、その光源部５１で発せられた光を集める集光部５２と、その集光部５２で集められた光を伝達する光伝達部５３と、その光伝達部５３により伝達された光を部屋１１に放射する光放射部５４とが設けられている。
【００６４】
光源部５１は、例えば電球とされ、部屋１１の天井部１２とは異なる場所に配置されている。光源部５１は、例えば床下や分電盤の近く等、電球の付け替えが容易な位置に設けられる。集光部５２は、例えば集光用ミラーからなり、その焦点に光源部５１の光を集める構成となっている。なお、図５では、光源部５１及び集光部５２を１つしか示していないが、実際にはこれら各部５１，５２は各光放射部５４ごとに設けられている。
【００６５】
光伝達部５３は、例えば光ファイバーからなる。また、光放射部５４は、例えば拡散レンズからなり、部屋１１の天井部１２に設けられている。つまり、図５の例では、上記実施形態の照明機器１３（蛍光灯）に代えて、光放射部５４が照明部として設けられている。
【００６６】
上記の構成によれば、熱を発する光源部５１を部屋１１の天井部１２とは異なる場所に配置することができるため、天井部１２において照明部（光放射部５４）より発する熱をなくすことができるか又は大いに抑制することができる。これにより、機器１６〜１９に対する照明部による熱の影響を大いに抑制することができる。また、光源部５１の配置に関する自由度を高めることができるため、例えば光源部５１（電球）の付け替えがし易い位置に光源部５１を配置するといったことが可能となる。
【００６７】
（２）上記実施形態では、部屋１１を照らす照明部（照明機器１３）を天井面材２７に取り付けたが、例えば図５に示すように、照明部を機器取付用ユニット４０に組み込むようにしてもよい。図５の例では、照明部としての光放射部５４が、機器取付用ユニット４０において隣り合う各筐体部４２の間を通じて設けられている。詳しくは、光放射部５４は隣り合う各筐体部４２の支持レール４３の間に配設され、それら各支持レール４３に照明取付部５７を介して取り付けられている。このように、機器取付用ユニット４０に光放射部５４を組み込むようにした構成にあっても、各機器１６〜１９の高さ位置を調整することで、各機器１６〜１９の高さ位置をその光放射部５４からの光の影響の少ない位置に設定することができる。
【００６８】
（３）上記実施形態では、機器取付用ユニット４０の固定板部４１を各天井小梁２５の上に架け渡した状態でそれら各天井小梁２５に固定したが、固定板部４１を隣り合う天井大梁２２及び天井小梁２５の上に架け渡した状態でそれら各天井梁２２，２５（一対の横架材に相当）に固定してもよい。また、固定板部４１を各天井小梁２５の下面側に固定するようにしてもよい。
【００６９】
また、固定板部４１は必ずしも平板状である必要はない。例えば、固定板部を、各支持レール４３が固定される水平板部と、天井小梁２５の側面に固定される鉛直板部とを有するＬ字状の板材で形成することが考えられる。この場合、固定板部４１は、一の天井小梁２５に固定されることになる。
【００７０】
なお、固定板部４１（固定部に相当）は必ずしも板状である必要はなく、例えば固定部を複数の鋼材を組み合わせてなる矩形のフレームとして構成としてもよい。
【００７１】
（４）上記実施形態では、機器取付用ユニット４０が４つの筐体部４２を備える構成としたが、機器取付用ユニット４０が２つ又は３つの筐体部４２を備える構成としてもよいし、５つ以上の筐体部４２を備える構成としてもよい。また、機器取付用ユニット４０が筐体部４２を１つだけ備える構成としてもよい。
【００７２】
（５）機器１６〜１９を取り付ける機器取付部は必ずしも筐体部４２とする必要はない。例えば、機器取付部を上下に延びる筒状（例えば四角筒状）をなす筒状体により構成してもよい。
【００７３】
（６）上記実施形態では、筐体部４２を高さ位置調整可能に支持する支持部として支持レール４３を設けたが、支持部の構成は必ずしもこれに限らない。例えば、支持部として、ロープ等の線状部材と、固定板部４１に設けられ上記線状部材を巻き取り又は繰り出し可能な巻き取り部（ローラ部等）とを備える構成が考えられる。この場合、線状部材の先端側に筐体部４２を取り付け、それにより当該筐体部４２を線状部材を介して固定板部４１に吊り下げ支持するようにする。そして、巻き取り部により線状部材を巻き取り又は繰り出しすることで、筐体部４２の高さ位置を調整するようにする。
【００７４】
（７）上記実施形態では、筐体部４２の高さ位置を底板部４２ａが照明機器１３よりも下方となる下位置に設定することで、機器１６〜１９の高さ位置を照明機器１３からの光や熱による影響の少ない位置に設定するようにしたが、これを変更して、筐体部４２の高さ位置を、その筐体部４２全体が天井面材２７よりも上方となる位置に設定することで、機器１６〜１９の高さ位置を照明機器１３からの光や熱による影響の少ない位置に設定するようにしてもよい。
【００７５】
（８）各筐体部４２を支持レール４３に対して着脱可能に取り付けるようにしてもよい。この場合、各筐体部４２の間で位置変更することが可能となるため、その位置変更により機器１６〜１９の配置位置を変更することが可能となる。したがって、この場合、筐体部４２を上下方向に位置調整できることに加えて、水平方向にも位置調整することが可能となる。そのため、例えば照明機器１３からの光による影響が顕著な機器１６〜１９については、機器の高さ位置調整に加え水平方向の位置調整を行うことで、照明機器１３からの光による影響の少ない位置に確実に配置するといったことが可能となる。
【００７６】
（９）上記実施形態では、建物ユニット２０の天井部に設けられた一対の天井小梁２５の上に機器取付用ユニット４０の固定板部４１を架け渡した状態で設けたが、これを変更してもよい。その例を図６に示す。図６の例では、建物ユニット２０の天井部に、天井小梁２５と直交する向きで一対の横架材６１が各天井小梁２５の上に跨がって設けられている。これら各横架材６１は例えば鋼材により長尺状に形成され、各天井小梁２５にボルト等で固定されている。
【００７７】
建物ユニット２０の内部には寝室が形成され、その寝室にはベッド６５が２つ並べて設置されている。これらのベッド６５は、その長さ方向を天井小梁２５と同じ向きにして配置されている。なお、図６では便宜上、各ベッド６５を二点鎖線で示している。
【００７８】
建物ユニット２０の天井部には、複数の機器取付用ユニット６３と複数の照明ユニット６４とが設けられている。機器取付用ユニット６３は、各横架材６１の上に架け渡された状態で固定される固定板部と、機器を取り付けるための筐体部と、固定板部に設けられ筐体部を高さ位置調整可能に支持する支持レールとを有する。つまり、機器取付用ユニット６３は、基本的には、上記実施形態の機器取付用ユニット４０と同様の構成となっている。なお、図６では、機器取付用ユニット６３の各部について図示を省略し、ユニット６３全体を実線の矩形枠で簡略化して示している。また、機器取付用ユニット６３について、上記実施形態の機器取付用ユニット４０と相違する構成としては、機器取付用ユニット４０では筐体部４２が複数設けられていたのに対し、機器取付用ユニット６３では筐体部が１つしか設けられていない。
【００７９】
照明ユニット６４は、照明装置を取り付けるためのユニットである。照明ユニット６４も、機器取付用ユニット６３と同様の構成を有しているため、ここではその説明を割愛する。また、照明ユニット６４には、その筐体部に照明装置を取り付けることが可能となっている。なお、照明ユニット６４についても、図６では各部の図示を省略し、ユニット６４全体を点線の矩形枠で簡略化して示している。
【００８０】
各機器取付用ユニット６３と各照明ユニット６４とは各横架材６１に沿って並べて設置され、各横架材６１に対して共通に支持されている。この場合、各ユニット６３，６４は、その固定板部が各横架材６１に架け渡された状態でそれら各横架材６１に固定されている。また、各ユニット６３，６４はそれぞれ隣り合う天井小梁２５間に配置されている。
【００８１】
また、各ユニット６３，６４は、建物ユニット２０の平面視にて、各ベッド６５の枕側に配置されている。この場合、機器取付用ユニット６３にセンサやカメラ等の機器を取り付けた場合、寝室でベッド６５に横になるユーザの状態をセンサやカメラ等の機器により把握し易い。また、機器取付用ユニット６３にスピーカやテレビ等の機器を取り付けた場合にはベッド６５で横になりながら視聴等をし易いという利点がある。
【００８２】
（１０）上記実施形態では、筐体部４２に、センサ１６として温度センサを取り付けたが、例えば部屋１１内の人の有無を検知する人感センサ等を取り付けてもよい。また、筐体部４２に取り付ける機器としては、センサ、カメラ、スピーカ以外の機器を取り付けてもよい。例えば、ディスプレイに映像を照射する映像機器等を取り付けることが考えられる。
【００８３】
（１１）上記実施形態では、リビング等、家族が集まる居室（部屋１１）の天井部１２に本発明の機器設置構造を適用したが、寝室や玄関、子供部屋等の天井部に本発明を適用してもよい。
【００８４】
（１２）上記実施形態では、ユニット式建物に本発明の機器設置構造を適用したが、鉄骨軸組工法や在来木造工法等、他の工法で構築された建物に本発明を適用してもよい。
【符号の説明】
【００８５】
１０…建物、１１…部屋、１２…天井部、１３…照明部としての照明機器、１６〜１９…機器、２０…建物ユニット、２５…横架材としての天井小梁、２７…天井面材、２７ａ…開口部、４０…機器取付用ユニット、４１…固定部としての固定板部、４２…機器取付部としての筐体部、４２ａ…底板部、４２ｂ…側板部、４３…支持部としての支持レール、４５…窓部、５１…光源部、５３…光伝達部、５４…照明部としての光照射部。
【図１】
2020133101.tif 000003
【図２】
2020133101.tif 000004
【図３】
2020133101.tif 000005
【図４】
2020133101.tif 000006
【図５】
2020133101.tif 000007
【図６】
2020133101.tif 000008